(57)【要約】【課題】  本発明は、家具、移動可能な壁等の機構に一体化され、機構を表面に沿って移動させることが可能な転動装置であって、当該転動装置を組み込んだ様々な機構を持上げ、身体的条件及び能力によらず誰でも使用することができる転動装置を提供する。【解決手段】  表面に沿って移動される機構用の転動装置が記載される。転動装置は、一端に開口を有するシリンダと、ピストンとを備え、ピストンは、シリンダ内で往復移動可能に配置され、それにより、ピストンは、シリンダ内の上側位置とシリンダ内の下側位置との間で移動することができる。ピストンは転動要素を備え、転動要素は、シリンダ開口に向くピストンの第１の端部に配置され、機構が移動されるときに表面上を転動する。転動装置は、シリンダ内で上側位置と下側位置との間でピストンを移動させるアクチュエータシステムを更に備える。【選択図】図１
2019147549.tif 000002
【特許請求の範囲】
【請求項１】
表面に沿って移動可能な機構用の転動装置であって、一端に開口を有するシリンダを持つハウジングと、ピストンとを備え、
前記ピストンは、前記シリンダ内で往復移動可能に配置され、それにより、前記ピストンは、前記シリンダ内の上側位置と前記シリンダ内の下側位置との間で移動することができ、
前記ピストンは転動要素を備え、
前記転動要素は、前記シリンダ開口に向く前記ピストンの第１の端部に配置され、前記機構が移動されるときに表面上を転動し、
該転動装置は、前記シリンダ内で前記上側位置と前記下側位置との間で前記ピストンを移動させる電気モータを前記ハウジング内に備えたアクチュエータシステムを更に備え、
前記アクチュエータシステムを制御する制御装置を更に備え、
前記制御装置は、該制御装置に対する無線信号送信のためのアンテナを備えるか、又は、該転動装置は、無線で前記制御装置と通信する開始装置を備える、転動装置。
【請求項２】
前記アクチュエータシステムは、液体用のリザーバを備え、前記電気モータは、流体チャネルを通る流体接続部を通して、前記リザーバから前記シリンダ内のシリンダ容積に液体を圧送するポンプを駆動することを特徴とする、請求項１に記載の転動装置。
【請求項３】
前記流体チャネルは、前記シリンダ容積から前記リザーバに戻る液体の流れを許可するために開口することができる弁装置を備えることを特徴とする、請求項２に記載の転動装置。
【請求項４】
前記アクチュエータシステムは、前記ピストンに締結されるボールねじと、前記ボールねじを囲みかつ該ボールねじと係合状態にあるボールナットとを備え、
前記電気モータが、前記シリンダ内で前記ピストンの上側位置と前記ピストンの下側位置との間で前記ピストンを移動させるため前記ボールねじを回転させることを特徴とする、請求項１に記載の転動装置。
【請求項５】
前記ピストンは、該ピストンの前記第１の端部内の開口から該ピストンに入るよう延在するキャビティを有するように構成され、前記転動要素は前記キャビティ内に少なくとも部分的に配置されることを特徴とする、請求項１〜４のいずれか１項に記載の転動装置。
【請求項６】
前記ピストンは、前記キャビティ内に配置され、球状軸受表面を有するように構成される軸受プレートを更に備え、
前記球状軸受表面は、前記軸受プレートが回転可能に支持されるように前記キャビティ内で対応する球状軸受表面に当接して着座することを特徴とする、請求項５に記載の転動装置。
【請求項７】
前記軸受プレートは端部を有する突出部を備え、前記軸受プレートの前記球状軸受表面は前記突出部の前記端部上に配置され、前記キャビティは、前記球状軸受表面が配置される凹所を備えることを特徴とする、請求項６に記載の転動装置。
【請求項８】
前記キャビティにおいて、前記軸受プレートと前記転動要素との間及び前記軸受プレートと前記キャビティとの間のエリア内に複数の軸受ボールが配置されることを特徴とする、請求項６又は７に記載の転動装置。
【請求項９】
前記制御装置は、ソレノイドを制御するためのエレクトロニクスを有するプリント回路基板を備えることを特徴とする、請求項１に記載の転動装置。
【請求項１０】
前記開始装置は、タッチ感応型センサか、ボタンか、又はスイッチを備えることを特徴とする、請求項１に記載の転動装置。
【請求項１１】
家具において、該家具の重量を支え、表面上に立つ少なくとも１つの支持要素を備える家具であって、前記支持要素は、前記表面を横切って該家具を移動させるために請求項１〜１０のいずれか１項に記載の少なくとも１つの転動装置を備えることを特徴とする、家具。
【請求項１２】
表面を横切って転動移動し、該移動を終えると安定位置を取るための、家具、可動壁、機械、トロリー、クレート、コンテナに含まれる請求項１〜１０のいずれか１項に記載の１つ又は複数の転動装置。
【請求項１３】
転動装置を備え、表面に沿って移動可能な家具であって、
前記転動装置は、一端に開口を有するシリンダを持つハウジングと、ピストンとを備え、
前記ピストンは、前記シリンダ内で往復移動可能に配置され、それにより、前記ピストンは、前記シリンダ内の上側位置と前記シリンダ内の下側位置との間で移動することができ、
前記ピストンは転動要素を備え、
前記転動要素は、前記シリンダ開口に向く前記ピストンの第１の端部に配置され、前記家具が移動されるときに表面上を転動し、
該転動装置は、前記シリンダ内で前記上側位置と前記下側位置との間で前記ピストンを移動させる電気モータをハウジング内に備えたアクチュエータシステムを更に備え、
前記アクチュエータシステムを制御する制御装置を更に備え、
前記制御装置は、該制御装置に対する無線信号送信のためのアンテナを備えるか、又は、該転動装置は、無線で前記制御装置と通信する開始装置を備える、家具。
【請求項１４】
前記シリンダの前記下側位置には、フット部分を備え、前記転動要素が前記シリンダ内に引き込まれた場合、前記フット部分は前記表面に接触する、請求項１３記載の家具。
【発明の詳細な説明】
【技術分野】
【０００１】
本発明は、例えば、床を横切って移動される家具、壁等の機構(device)に一体的に組み込まれ、表面に沿って転動する転動装置(rolling device)に関する。
【背景技術】
【０００２】
多くの事例において、例えば、家具の下及び背後を清掃する目的でアクセスするため、家具を移動させることが必要である。家具を移動させることを容易にするため、家具は、様々なタイプのホイールを備えてもよい。また、規則的に移動し、したがって、移動を容易にしかつ可能にするホイールを備え得る他のタイプの機構が存在する。これらの機構は、例えば、内装床プランレイアウトを変更するため移動可能である軽量パーティション壁であってもよい。同様の構造要素を移動させることが望ましい場合がある多くの他の場合が、同様に考えられる。
【０００３】
本出願人は、特許文献１に記載されている転動装置を過去に開発した。特許文献１に記載されている転動装置は、例えば、家具の脚内に配置される円柱スリーブ装置、及び、円柱スリーブ装置内に移動可能に配置されるピストンを備える。ボール状又は球状ホイールは、ピストン内に配置される。ピストンは、ばねを備えるクリックシステムの助けを借りて、上側位置と下側位置との間で移動可能である。ピストンが下側位置にあるとき、家具は、その家具が立っている床を横切って転動することができ、一方、ピストンが上側位置にあるとき、ホイールは、円柱スリーブ装置の内部にあり、したがって、転動装置がその中に配置される家具の脚は床の上に立つ。そのため、家具は、家具に多少の力が加えられても、床を横切って不慮に転動することなく、所望の位置に設置される。
【０００４】
特許文献１に記載されている転動装置に関する問題は、家具がクリックシステムを備えるように設計され、クリックシステムが、２つの位置の間でピストンが移動することを可能にするため、家具が持上げられることを必要とすることである。これは、家具が、多くの人々が持上げられるものに比べて重量が重い場合、及び／又は、家具が、その家具を持上げられるように手で把持することを難しくする扱いにくい形状を有する場合、又は、家具を持上げることが難しい又は不可能である方法で家具が位置決めされる場合に問題となる。
【０００５】
特許文献１の転動装置に関する別の問題は、球状ホイールが、球状ホイールがその中に配置されるロック用部分内で或る程度の移動の自由を有するため、球状ホイールがロック用部分内に押込まれる可能性があることである。さらに、球状ホイールはゴム材料で作られる可能性があり、そのことは、ホイールが荷重を受ける（loaded）と或る程度形状を変える可能性があることを意味する。その結果、球状ホイールは、或る場合には、軸受ボールのうちの１つ又は複数を押付ける場合があり、それにより、表面を横切って家具を転動させることが難しくなるか又は不可能になる。
【先行技術文献】
【特許文献】
【０００６】
【特許文献１】ノルウェー国特許第３１６７６０号
【発明の概要】
【発明が解決しようとする課題】
【０００７】
したがって、家具、移動可能な壁等の機構に一体化され、機構を表面に沿って移動させることが可能な転動装置であって、当該転動装置を組み込んだ様々な機構を持上げ、身体的条件及び能力によらず誰でも使用することができる転動装置を提供することが本発明の目的である。
【０００８】
また、転動装置を一体化した機構を、所望の時に、表面に沿って容易に移動可能であり、また、所望の時に、特定の場所に安定して立設させることが本発明の目的である。
【０００９】
さらに、球状ホイールの転動特性を改善する解決策を見出すことが本発明の目的である。
【課題を解決するための手段】
【００１０】
これらの目的は、独立請求項１に記載の転動装置、独立請求項１６に記載の家具、及び請求項１７に記載の転動装置の使用によって達成される。転動装置の更なる実施形態は従属請求項１〜１５に記載される。
【００１１】
したがって、表面に沿って移動する機構用の転動装置が提供される。転動装置は、一端に開口を有するシリンダと、ピストンとを備え、ピストンは、シリンダ内で往復移動可能に配置され、それにより、ピストンは、シリンダ内の上側位置とシリンダ内の下側位置との間で移動することができる。ピストンは転動要素を備え、転動要素は、シリンダ開口に向くピストンの第１の端部に配置され、機構が移動されるときに表面上を転動する。転動装置は、シリンダ内で上側位置と下側位置との間でピストンを移動させるアクチュエータシステムを更に備える。その上側位置において、ピストンは、好ましくは、シリンダ内に非常に深く後退するため、転動装置は、シリンダ内にあり、表面上を転動することができない。その下側位置において、ピストンは、シリンダ開口に向かって非常に遠くに押し出されるため、転動装置の少なくとも大部分は、シリンダ開口の外側にあり、転動装置は表面上を転動することができる。
【００１２】
転動要素は、好ましくは、ボール状又は球状であるが、同様に、他の形状を有してもよい。例えば、転動要素はホイールとして構成されてもよい。
【００１３】
転動要素は、ホイールである場合、ピストンの第１の端部に取付けることができ、それにより、水平回転軸を中心に回転することができる。ピストンは、更に２部分ピストンとすることができ、上側ピストン部分及び下側ピストン部分は互いに回転可能に結合され、それにより、下側ピストン部分は垂直軸を中心に転動することができる。そのため、ピストン及びホイールは、シリンダ内に後退することができる。代替的に、ホイールは、ブラケット部分内に軸支されてもよく、それにより、ホイールが水平軸を中心に転動することができ、一方、ブラケット部分は、ピストンの第１の端部に回転可能に締結され、それにより、ブラケット部分、したがって同様に、ホイールが、垂直軸を中心に転動することができる。ピストンがシリンダを出入りするように移動すると、ホイールは、往復移動でピストン移動に追従することになる。ブラケット部分は、ピストンがシリンダに入るよう後退する際、シリンダに入らないか又はシリンダに部分的に入るようにしか移動しない別個の部分であってよい。ブラケット部分及びホイールがシリンダに入るように後退しない最後に述べた解決策は、例えばベッド等の機構であって、機構の周りに延在するスカートを有する機構上で使用することができる。機構は、ピストンが上側位置にあるときはスカートによって立ち、一方、ピストンが下側位置に移動すると、機構は、ホイール上に立つことになり、したがって、その機構が立っている表面を横切って移動することができる。
【００１４】
アクチュエータシステムは、異なる方法で構成することができる。本発明の一実施形態において、アクチュエータシステムは、加圧ガスを貯蔵するためのガスタンクと、ガスタンクとシリンダ内のシリンダ容積との間及びシリンダ容積から転動装置の外部への流体接続部と、ガスタンクからシリンダ容積への及び／又はシリンダ容積から転動装置の外部へのガスの流れを制御する少なくとも１つの弁装置とを備えることができる。アクチュエータシステムは、ガスタンクからシリンダ容積へのガスの流れを制御する入口弁装置と、シリンダ容積から転動装置の外部へのガスの流れを制御する出口弁装置とを更に備えることができる。入口弁装置は、好ましくは、ソレノイド及び弁ロッドを備え、弁ロッドは、ソレノイドに接続され、ガスタンクからシリンダ容積へのガスの流れを許可及び遮断する弁メンブレンに当接して着座する。転動装置は、ピストンに取付けられるロッド及びアームを更に備えてもよく、アームは、ピストンがシリンダ内で下側位置に達すると、弁ロッドが弁メンブレンに押付けられるように、ロッド及び入口弁装置の弁ロッドに接続され、それにより、弁メンブレンは、ガスタンクからシリンダ容積へのガスの流れを遮断する。出口弁装置は、ソレノイド及び弁ロッドを備えることができ、弁ロッドは、ソレノイドに接続され、シリンダ容積から転動装置の外部へのガスの流れを調節する弁メンブレンに当接して着座する。例えば、ガスタンクは、ガスタンクがシリンダの延長部である点で転動装置の一体化部分であることが好ましいが、ガスタンクと転動装置内のシリンダとの間でガスが流れ得るように転動装置に流体接続される別個のユニットとすることができる。
【００１５】
アクチュエータシステムは、代替的に、液体用のリザーバ及び電気モータを備えることができ、電気モータは、流体チャネルを通る流体接続部を通してリザーバからシリンダ内のシリンダ容積に液体を圧送するポンプを駆動する。本発明の一実施形態において、流体チャネルは、シリンダ容積からリザーバに戻る液体の流れを許可することができる弁装置を備えることができる。
【００１６】
代替的に、アクチュエータシステムは、ピストンに締結される歯車と、歯車を囲み歯車と係合状態にあるボールナットと、シリンダ内でピストンの上側位置と下側位置との間でピストンを移動させるためボールナットを回転させる電気モータとを備えることができる。ピストン内の対応するねじ山に係合するねじ山を端部に備えるシャフトを電気モータが駆動する点で、電気モータがピストンを直接駆動することを可能にすることも考えられる。電気モータがシャフトを回転させると、ピストンは、シャフトの回転方向に応じて上又は下にねじ込まれる。
【００１７】
電気モータを動作させるための電力は、転動装置内に配置された電池によって提供することができる。電池容量は、転動装置がその間に使用される予測年数にわたり１年当たりの上昇／下降動作の予想回数に対する電力を電池が送出することができるように選択される。電池は、任意選択で、必要であるときに交換することができるように転動装置内で交換可能に配置することができる。
【００１８】
電気モータに電力を提供するため１つ又は複数の充電式電池を、また、１つ又は複数の充電式電池に充電するため転動装置の外側表面内に又はその上に配置される１つ又は複数の太陽電池を使用することも可能である。そのため、昼光が使用されて、１つ又は複数の電池を充電し、それにより、電池をチェックし、電池を交換する必要性を回避し、したがって、表面を横切って機構を移動することが所望されるときに電池が切れていることがわかることを防止することができる。例えば、誘導電力による等、無線充電システムによって充電される充電式電池を使用することが同様に可能である。
【００１９】
代替法は、同様に、転動装置を主電源に接続することができるように、電気モータに接続される電力ケーブルを転動装置に設けることである。幾つかの家具及び他の機構は、既に最初から、主電源に通常接続される他の目的のための電力供給部を装備している。例えば、１つ又は複数の電気モータによって異なる位置にセットされる可能性があるベッドが存在する。こうした家具及び機構の場合、転動装置は、もちろん、同じ電力供給部を使用し、家具又は機構内の内部で同じ電力供給部に接続することができる。
【００２０】
代替的に、アクチュエータシステムは、２方向ネオジムつり上げ磁石を搭載されている電磁ソレノイドを備えることができる。電磁ソレノイドは、転動装置内に配置された電池等の電力源に又は主電源に接続される。さらに、転動要素又はピストンは、磁気を帯びているか、又は、強磁性材料、すなわち、磁界中にあると磁化される材料で完全に又は部分的に作られる。転動要素又はピストンは、転動要素又はピストン内に一体化される磁気要素を備えることもできる。
【００２１】
２方向ネオジムつり上げ磁石が搭載されているこの種の電磁ソレノイド、及び、磁気若しくは磁化可能転動要素、又は任意選択で、転動要素が搭載される磁気若しくは磁化可能ピストンは、特許文献１に記載されており、転動要素を外に押すばね要素及びクリックシステムを備える転動装置に関連して特に有用である。電磁ソレノイドに電力が供給されると、ソレノイドに取付けられた磁石は、アクティブ化し、球状ホイール内に着座する磁石を引寄せることになり、その結果、転動装置がつり上げられ、ホイールを転動モードにセットする。磁石が電力供給を遮断することによって非アクティブ化されると、つり上げ力は、有効でなくなり、球状ホイールは、その結果、全ての方向に移動することができる。球状ホイールをロックするため、磁石は、再びアクティブ化され、ホイールは、その後、移動することができないようにロックモードで所定の場所にクリックバックされることになる。
【００２２】
転動装置が、添付図に詳細に示すように、上側位置と下側位置との間でシリンダを出入りするように移動するピストン内に配置される転動要素を備えるとき、磁気転動要素を使用することができるか、又は、磁石をピストン内に配置することができる。電磁ソレノイドは、好ましくは転動装置のハウジング内で、シリンダの上側に配置される。転動要素がシリンダ内で上側位置にある、すなわち、転動要素がシリンダに入るよう後退したとき、電磁ソレノイドは、ソレノイドと磁気転動要素との間に反発力をもたらす極性が与えられるように電力を供給されるか、又は、ピストン内の磁石は、シリンダ内で外に押されることになり、ついには、転動要素は、転動装置が表面を横切って転動することができる下側位置になる。転動装置がその中に配置される機構の重量は、通常、電力がオフされるときにピストン及び転動要素がシリンダに再び押込まれることを保証する。代替的に、転動要素又はピストンと電磁ソレノイドとの間に誘引力が生じ、また、ピストン及び転動要素がシリンダに入るように後退するように、電磁ソレノイドに電力を印加することができる。
【００２３】
電磁石を動作させるための電力は、転動装置内に配置される電池によって、又は、電磁ソレノイドに接続される電力ケーブルによって提供され、それにより、転動装置が主電源に接続されることを可能にすることができる。電池容量は、好ましくは、転動装置が使用される予測年数にわたり１年当たりの上昇／下降動作の予想回数についての電力を電池が供給することができるように選択される。電池は、任意選択で、必要であるときに交換することができるように転動装置内に交換可能に配置することができる。
【００２４】
転動装置を中に配置した家具又は機構、例えば、上述した１つ又は複数の電気モータによって異なる位置に調整することができるベッドが、主電源に接続される他の目的のための電力供給部を既に装備している場合、転動装置は、もちろん、同じ電力供給部を使用し、家具及び機構内の内部で同じ電力供給部に接続することができる。
【００２５】
転動装置は、アクチュエータシステムを制御するための制御装置を更に備えることが好ましく、制御装置は、制御装置に対する無線信号送信のためのアンテナを備える。これは、信号を無線で送信するために使用することができるブルートゥース（登録商標）又は他の適した技術であってよい。転動装置のアクチュエータシステムは、マニュアルで、例えば、スタートスイッチ及びストップスイッチによって制御することができることも考えられる。スタート及びストップスイッチ（複数の場合もある）はマニュアルボタンであってよい。代替的に、例えば、感圧センサ等のセンサを使用することができ、感圧センサは、センサがタッチを記録すると、転動装置がその一部をなす家具又は機構を上昇又は下降させるプロセスを開始する。通常、家具又は機構は、多数の転動装置を備えることになる。例えば、ベッドは、通常、各脚内に１つの転動装置を備えることになり、全ての単一の脚上でボタンを押下し又はセンサにタッチする必要性をなくすために、転動装置は、例えば、上述したブルートゥースによって無線で通信するように適合することができる。その場合、好ましくはブルートゥースによって無線で他の転動装置と通信する１つのボタン／スイッチ又は１つのセンサが好ましくは使用され、それにより、転動装置のうちの１つの転動装置が、センサが設けられているか若しくはボタン／スイッチが設けられているかに応じて、センサにタッチすることによって又はボタン／スイッチを押下することによってアクティブ化されると、信号が、他の転動装置に送信され、それにより、転動要素を有する転動装置のピストンが、同時に、それぞれのシリンダから押出される又はそれぞれのシリンダに引込まれる。
【００２６】
ピストンは、好ましくは、ピストンの第１の端部の開口からピストンの内側に延在するキャビティを有するように構成され、転動要素はこのキャビティ内に少なくとも部分的に配置される。転動要素は、換言すれば、ピストン内の所定の場所に支持されるが、転動装置がその中に配置される家具又は機構を移動するとき、転動装置が表面に沿って転動することを可能にするため、転動要素の一部は、ピストン開口の外側に必ず位置しなければならない。
【００２７】
ピストンは、キャビティ内に配置され、球状軸受表面を有するように構成される軸受プレートを更に備えてもよく、球状軸受表面は、軸受プレートが回転可能に支持されるようにキャビティ内で対応する球状軸受表面に当接して着座する。軸受プレートは、好ましくは、端部を有する突出部を備え、軸受プレートの球状軸受表面は突出部の端部上に配置される。同様に、キャビティは、好ましくは、キャビティの球状軸受表面が配置される凹所を備える。キャビティにおいて、軸受プレートと転動要素との間及び軸受プレートとキャビティとの間のエリア内に複数の軸受ボールが好ましくは配置される。
【００２８】
家具の重量を支え、表面上に立つ少なくとも１つの支持要素を備える家具が、同様に提供される。支持要素は、表面を横切って家具を移動させるために上述した少なくとも１つの転動装置を備える。
【００２９】
表面に沿って転動移動し、移動を終えると安定位置を取るための、家具、可動壁、機械、トロリー、クレート、コンテナ等における上述した１つ又は複数の転動装置の使用が、同様に提供される。
【００３０】
本発明の幾つかの非制限的な実施形態が以下で述べられる。
【００３１】
同じ参照数字が全ての図において使用されて、転動装置の異なる実施形態において同じ技術的特徴を示すことが、最初に述べられるべきである。
【図面の簡単な説明】
【００３２】
【図１】本発明による転動装置を通る断面図であり、ピストンは上側位置にある。
【図２】図１に示す転動装置を通る断面図であるが、ピストンは下側位置にある。
【図３】本発明による転動装置を示す図であり、ピストンは、転動装置内に貯蔵される流体によって移動される。
【図４】本発明による転動装置を示す図であり、ピストンは、機械的解決策によって移動される。
【図５】本発明による転動装置を示す図であり、ピストンは、外部源から供給される流体によって移動される。
【図６】家具の一部を示す図であり、転動装置は家具の一部に一体化され、ピストンは、転動要素が表面上を転動することができる下側位置にある。
【図７】開始装置を備える転動装置を示す図である。
【図８】一体化された転動装置を有する家具の一部を示す図であり、家具の一部は開始装置を備える。
【図９】本発明による転動装置を示す図であり、ピストンは電磁システムによって移動される。
【発明を実施するための形態】
【００３３】
図１及び図２は、転動装置１０の第１の実施形態を示し、したがって、両図を参照して説明される。
【００３４】
転動装置１０は、一端に開口１４と、他端に底３８とを有するハウジング１１を備える。ハウジング１１は、シリンダ１３の下側部分を形成するシリンダ底２３と、ハウジング１１を通してシリンダ１３の底からハウジングの底３８まで延在するステムを構成している。
【００３５】
シリンダ１３内に、ピストン１５が配置され、ピストン１５は、ピストンが好ましくはシリンダ底２３に当接して着座することになる上側位置と、ピストン１５が１つ又は複数の停止縁(stop edge)３９に当接して着座する下側位置との間で移動することができる。図１は、上側位置にあるピストン１５を示し、一方、図２は、下側位置にあるピストンを示す。
【００３６】
ピストン１５の上側で、ピストン１５とシリンダ底２３との間に、シリンダ容積２２が形成され、シリンダ容積２２は、ピストンが図１に示す上側位置にあるときにほぼゼロであるサイズを有し、ピストンが図２に示す下側位置にあるときに最大サイズである。ピストン１５の外側には、好ましくは、シール２４が配置され、シール２４は、ピストンとシリンダ１３との間をシールして、シリンダ容積２２内にある加圧流体が漏出することを防止する。
【００３７】
ピストン１５は、好ましくは、中空空間又はキャビティ４３を有するように構成される。キャビティ４３内に、軸受プレート１７が配置される。軸受プレート１７は、好ましくは軸受プレートの突出部４９上に第１の球状軸受表面１８を有するように構成される。ピストン１５内の凹所内に、第２の球状軸受表面１９が構成され、当該第２の球状軸受表面１９に対して第１の球状軸受表面１８が当接して着座している。そのため、軸受プレート１５は、全ての方向にわずかに移動することが可能である。
【００３８】
ピストン１５は、転動要素２０をピストン内の所定の場所に支持する１つ又は複数の支持部材１６を更に備える。支持部材１６は、好ましくは、転動要素２０と１つ又は複数の支持部材１６との間に、或る程度の隙間が存在するように構成される。これは、転動要素２０を所定の場所に入るよう摺動させることをより容易にし、また同様に、転動要素２０と支持部材（複数の場合もある）１６との間の摩擦が少なく、それにより、転動要素がより容易に転動することを意味する。
【００３９】
軸受プレート１７と転動要素２０との間、及び、軸受プレートとピストン１５の残りの部分との間のエリアには、転動要素がその上に着座する多数の軸受ボール２１が配置される。
【００４０】
転動要素２０は、好ましくは、荷重を受けると形状をわずかに変えることが可能であるゴム材料で作られ、このことは、転動要素が、側部にわずかに変位され、軸受ボール２１を押付ける可能性があることを意味する。これが起こると、転動要素が転動しないリスクが生じる。これを回避するため、軸受プレート１７及びピストン１５は、対応する第１の球状軸受表面１８及び第２の球状軸受表面１９を有するように構成され、それにより、軸受プレート１７は、軸受ボールが転動要素２０によって押付けられると、或る程度押し戻す（yield）ことができるように構成されている。
【００４１】
説明の最初の部分で述べたように、ピストンの第１の端部で支持されるか又はブラケット部分によってピストンの第１の端部に締結されるホイール状又は球状転動要素を使用することも可能であり、それにより、ホイールは水平軸を中心に転動し、それにより、ホイールが表面上を転動することを可能にすることができ、好ましくは、ホイールはまた垂直軸を中心に転動し、それにより、ホイールが旋回し、機構が表面を横切って所望の方向に転動されることを可能にすることができる。
【００４２】
下側端部において、ハウジング１１は、フット部分２５を有するように更に構成され、フット部分２５は、好ましくは、保護リング２６を備え、ピストン１５及び転動要素２０がシリンダ１３内の上側位置にあるときに表面に対する掻き傷及び他の損傷を防止する。保護リング２６は、例えば、ゴム又はプラスチック材料で作ることができる。代替的に、フェルトパッド等をフット部分２５の下に設けることができる。
【００４３】
転動装置１０は、上側位置と下側位置との間でシリンダ１３内のピストン１５を移動させるアクチュエータシステムを更に備える。図１及び図２に示す実施形態において、アクチュエータシステムは、好ましくは転動装置１０内に一体化されるガスタンク２８を備える。ガスタンクは、例えば、図１及び図２に示すように、シリンダ底２３とハウジング底３８との間でハウジング１１内に配置することができる。
【００４４】
アクチュエータシステムは、ピストンロッド４０を更に備え、ピストンロッド４０は、一端においてピストン１５に固定され、ハウジング１１内のステム１２及び底３８を通って延在し、その後、底３８から突出する。他端において、ピストンロッド４０は、横断要素４１を有するように構成される。ガスタンク２８からピストンロッド４０までガスチャネル４４が延び、一方、ピストンロッド４０とステム１２との間には、ガスチャネル４４がガスの貫通流のために開口しているときにガスがガスタンク２８からシリンダ容積２２までガスが流れることができることを意味する隙間が存在する。ピストンロッド４０から底部３８のちょうど上に、ガスチャネル４６と連通する別のガスチャネル４５が延びる。ガスチャネル４６は、転動装置１０の外側と連通し、それにより、ガスチャネル４５がガスの貫通流のために開口しているときに、ガスは、シリンダ容積２２から、ピストンロッド４０とステム１２との間の隙間を介して、ガスチャネル４５及び４６を通って外に流れることができる。こうして、シリンダ容積２２のガスを空にすることができる。
【００４５】
ガスタンク２８からシリンダ容積２２へのガスの流れを制御するため、転動装置１０は、弁ロッド３２を備える入口弁装置３０を備え、弁ロッド３２は、一端でソレノイド３１に接続され、中央部分に肩部３３を有するように構成される。弁ロッド３２の他端は、弁メンブレン３４に当接して着座し、弁メンブレン３４は、ガスチャネル４４を覆って存在し、ガスタンク２８からのガスの貫通流を遮断及び許可する。アーム４２は、一端でピストンロッド４０に摺動可能に接続され、他端で弁ロッド３２に摺動可能に接続される。シリンダ容積２２から転動装置１０の外部へのガスの流れを制御するため、転動装置１０は、弁ロッド３６を備える出口弁装置２９を備え、弁ロッド３６は、一端でソレノイド３５に接続される。弁ロッド３６の他端は、弁メンブレン３７に当接して着座し、弁メンブレン３７は、ガスチャネル４５を覆って存在し、シリンダ容積２２からのガスの貫通流を遮断及び許可する。
【００４６】
ピストンロッド４０の周りの隙間においてガスが漏出することを防止するため、シール４３が、ガスチャネル４４及び４５のすぐ上に設けられる。
【００４７】
転動装置１１は、制御装置４７を更に備え、制御装置４７は、特に、アンテナと、ソレノイド３１及び３５の制御用のエレクトロニクスを有するＰＣＢ（すなわちプリント回路基板）とを備える。電池４８は、制御装置４７並びに弁装置２９及び３０の動作のために必要である電力を提供する。転動装置１０は、好ましくは、転動装置の寿命全体にわたって持続する電池を備えるが、そうする必要性が存在するときに電池を交換することができるように転動装置を構成することももちろん可能である。
【００４８】
制御装置のアンテナは、例えば、ブルートゥース技術を使用することによって、リモートコントロールからの信号を受信するように適合される。アンテナが信号を受信すると、アンテナは、受信される信号に応じて、ソレノイド３１又は３５の一方をトリガーする信号を送出する。例えば、感圧センサ等のセンサ又はボタン若しくはスイッチを使用して、シリンダ１３内で上側位置と下側位置との間でのピストン１５の移動をアクティブ化することも可能である。これは、図７及び図８に示され、以下でより詳細に述べられる。
【００４９】
使用時、図１及び図２に示す転動装置１０は、以下の方法で働く。ピストン１５が上側位置にあるとき、転動要素２０は、シリンダ１３の内部にあり、転動装置１０を中に配置した機構は表面上に立設している。転動要素２０を有するピストンをシリンダ１３から出すための信号をアンテナが受信すると、制御装置は、弁ロッド３２を上方にかつソレノイド３１に入るように、引込む電流パルスをソレノイド３１に確実に受信させる。ガスタンクからのガス圧は、その後、弁メンブレン３４を上方に持上げ、ガスチャネル４４を通り、ピストンロッド４０とステム１２との間の隙間を通って下方に、そしてシリンダ容積２２に入るようなガスの流れを許可する。弁メンブレンの全エリアが、今やガス圧を受け、それにより、力が、ソレノイド３１からのばね圧を超える。ピストン１５は、その後、シリンダ１３から出るように移動し、ついには、ピストン１５は、弁ロッド３２上の肩部３３に当接して下に押されるアーム４２を、ピストンロッド４０上の横断要素４１が把持する所望の位置に達する。弁ロッド３２は弁メンブレン３４に当接して下に押され、弁メンブレン３４はガスチャネル４４内の開口に向かって押される。そのため、ガスチャネル４４は、ガスの更なる貫通流に対して遮断される。停止縁３９は、ピストンが制御されずにシリンダ１３から出て来ることを防止する。
【００５０】
転動要素２０を有するピストンをシリンダ１３内に移動させる信号をアンテナが受信する場合、制御装置４７は、弁ロッド３６を上方にかつソレノイド３１に入るよう引込む電流パルスをソレノイド３５に確実に受信させる。シリンダ容積２２からのガス圧は、その後、弁メンブレン３７を上方に持上げ、シリンダ容積２２から、ピストンロッド４０とステム１２との間の隙間を通り、更に出てガスチャネル４５及びガスチャネル４６に入るようなガスの貫通流を許可する。
【００５１】
図３〜図５において、３つの他のアクチュエータシステムが示され、これらのアクチュエータシステムは、図１及び図２に示す転動装置１０の実施形態のように、転動要素２０がシリンダ１３の内部にあるシリンダ１３内の上側位置と、転動要素２０がシリンダ１３から部分的に突出し、それにより、転動装置１０を中に配置した機構が、立設している表面を横切って転動することができる、シリンダ１３内の下側位置との間でピストン１５を移動するために使用することができる。
【００５２】
図３は、ハウジング１１の内部に配置される電気モータ５０を備えるアクチュエータシステムを示す。電気モータ５０は、ポンプ５２を駆動するシャフト５１に接続される。転動装置１１は、同様に、液体用のリザーバ６１と、リザーバ６１をポンプに、その後、シリンダ容積２２に接続する液体チャネル５３とを備える。ピストン１５がシリンダ１３から出るように移動すると、電気モータは、制御装置（図３には示さず）からの信号を受けると始動してポンプ５１を駆動し、ポンプ５１は、液体をリザーバ６１からシリンダ容積２２に圧送する。こうして、ピストン１５はシリンダ１３から出るように移動する。ピストンがシリンダ内に戻ると、液体は、液体チャネル５３を通して戻すことができる。転動装置１０がその中に配置される機構の重量は、ピストンをシリンダに入るよう押し、また、液体をシリンダ容積から出てリザーバ６１に戻るよう押す。
【００５３】
図４において、ハウジング１１内に配置される電気モータ５０を備える別のアクチュエータシステムが示される。シャフト５１は、電気モータ５０及び歯車５４に接続される。歯車５４は、ボールナット５５と係合状態にある。ボールナット５５は、ピストン１５に締結されるボールねじ５６を囲む。電気モータ５０がシャフト５１を回転させると、歯車５４は、ボールナット５５を回転させることになり、ボールナット５５は、したがって、シャフト５１の回転方向に応じて、シリンダ１３から出るか又はシリンダ１３に入るようボールねじ５６及びピストン１５を回す。
【００５４】
上記の図３及び図４に関連して述べられる電気モータ５０は、電池（図示せず）によって動作することができる。電池は、転動装置の耐用年数中、予想される移動回数に対応して、シリンダ１３を出入りするピストン１５の或る特定の回数の移動についての電力を供給することができる容量にすることができる。電池は、同様に、転動装置内に交換可能に配置することができる。電池は、電池が取外され、元通り転動装置内に置かれる前に充電される点で、又は、転動装置が、電池を充電するため、外部電力供給部、例えば主電源若しくは発電機に接続される点で充電式とすることができる。説明の最初の部分で述べたように、電池は、代替的に充電式であり、転動装置の外側表面内に又はその上に配置される太陽電池を使用して、又は、誘導電流等の無線充電システムを使用することによって充電されてもよい。
【００５５】
代替的に、転動装置は、電力ケーブルによって主電源に接続することができるように電力供給部を備えることができる。家具又は機構が複数の転動装置を備える場合、全ての転動装置は、好ましくは、転動装置を動作させるため、主電源から電力を供給するための電力供給部に接続されることになる。特に、転動装置を中に配置した家具又は機構、例えば、ベッドベースの形態を変更するため電気モータを使用するベッド、又は、照明を備える家具若しくは機構が、別の目的で電力供給部を備える場合、主電源からの電力を受電する家具又は機構内の同じ電力供給部によって転動装置が動作されることも可能にすることが好都合である場合がある。
【００５６】
図３及び図４の電気モータ５０は、好ましくは、制御装置（図示せず）によって制御される。制御装置が、リモートコントロール又は開始装置６２（図７及び図８参照）から無線で、又は任意選択で、開始装置６２（図７及び図８参照）からの信号ケーブルによって信号を受信すると、電気モータは、転動要素２０が表面と接触状態になる位置にピストン１５を押すことになり、それにより、転動装置１０と、転動装置１０を中に配置した家具又は機構が表面上を転動することができるか、又は、転動要素２０がシリンダ１３内に引込まれる位置にピストン１５を押すことになり、それにより、フット部分２５が表面と接触状態になる。
【００５７】
図５は、図１及び図２の実施形態に関連して述べたのと同じ方法でシリンダ１３内に配置されるピストン１５を有する転動装置１０を示す。流体チャネル６２は、ハウジングを通してハウジングの外側まで配置される。図１及び図２に示すように、転動装置内に一体化されたガスタンクを有する代わりに、流体チャネル５７が示され、流体チャネル５７は、例えば、流体チャネル６２の出口に接続されるホースであり、それにより、ホース５７の端からシリンダ容積２２まで連続流体チャネルを形成してもよい。そのため、流体チャネル５７は、外部ガスタンクに接続することができ、これは、ガスタンクの交換を簡略化する。通常、ガスタンクは、予想される年数の間、シリンダ１３を出入りするピストン１５を所与の回数移動させることによって転動装置を機能させるのに十分なガスで充填されることになる。しかし、転動装置１０がその中に配置される家具又は機構が、非常にしばしば移動される場合が考えられ、したがって、図５に示す実施形態等において、容易に交換することができるガスコンテナを使用することが有利である場合がある。
【００５８】
図６において、典型的な家具部品、例えば、転動装置１０を搭載したベッド、テーブル、ソファ等の脚が示される。家具部品は、転動装置１０の外側寸法に適合されるキャビティ５８と、家具部品を家具に締結するための締結装置とを有するように構成される。転動装置１０は、キャビティ５８に導入され、その後、保持要素２７が、転動装置１０がキャビティ５８から外に落ちることを防止する。
【００５９】
図６は、シリンダ１３内でその下側位置にあるピストン１５を示し、転動要素２０は転動装置から突出し、表面上に存在し、表面を横切って転動することができる。家具部品６０が締結される家具は、今や表面を横切って転動することができる。ピストン１５がシリンダ１３内でその上側位置に移動すると、転動要素２０は、フット部分２５のちょうど上になり、フット部分２５が、したがって表面上に立つ。家具部品６０が締結される家具は、したがって、表面上に安定して立つことになる。
【００６０】
図７及び図８は、家具又は機構が表面を横切って転動されるときにシリンダから出るピストン１５の移動、又は、家具又は機構が所望の位置まで転動されたときにシリンダに入るピストン１５の移動を開始するためのリモートコントロールを使用することに対する代替法を示し、家具又は機構が、安定した位置を有するべきである、すなわち、所望の位置から転動して外れる可能性を有するべきでないことが所望される。ピストン１５がシリンダ１３内に移動すると、転動要素は、同様に、シリンダ内に上方に引込まれることになり、フット部分２５は、最終的に、表面上に安定して立つことになる。
【００６１】
図７は、上述した転動装置１０を示し、ハウジング１１は、転動装置がフット部分２５によって立設しているときにピストン１３内での上側位置から下側位置へのピストン１５の移動を開始するための、又は、転動装置が転動要素２０によって立設しているときにシリンダ１３内での下側位置から上側位置へのピストン１５の移動を開始するための開始装置６２を備える。開始装置６２は、好ましくは、センサ、例えば、人がセンサにタッチすることを記録する感圧センサを備える。開始装置６２は、好ましくは、無線で、例えばブルートゥース技術の使用を通して、又は任意選択で、開始装置６２及び制御装置４７を接続するケーブル（図示せず）を通して制御装置４７と通信する。人が開始装置６２内のタッチ感応型センサ（touch-sensitive sensor：タッチセンサ）にタッチすると、信号が制御装置４７に送出されることになり、ピストン１３は、シリンダ１３内の上側位置から、転動要素２０が表面と接触状態になる下側位置に移動し、それにより、転動装置１０を中に配置した家具又は機構が表面を横切って転動することができることになるか、又は、シリンダ１３内の下側位置から、転動要素２０がその全体をシリンダ１３内に引込まれ、フット部分２５が表面と接触状態になる上側位置に移動することになる。
【００６２】
センサの代わりに、開始装置６２が、所望の場合、スイッチ又はボタンを備えることができることが同様に述べられるべきである。開始装置６２は、無線で、又は、センサが使用されるときと同じ方法で信号ケーブルによって制御装置４７と通信する。人がスイッチを押下することによって、転動要素２０が、表面と接触状態になり表面を横切って転動することができるか、又は、フット部分２５が表面と接所状態になるようにシリンダの内部に引込まれる位置になるようシリンダ内でのピストンの移動を開始させる。
【００６３】
図８は、図６に示す家具部品６０内のキャビティ５８内に配置される転動装置１０を示す。転動装置１０が図６及び図８に示すように家具部品内に一体化して配置されると、家具部品６０は、上記の図７に関連して説明したのと同じ方法で機能する開始装置６２を外側に備える。開始装置６２は、好ましくは、上記で説明した、センサ又は任意選択でスイッチ若しくはボタンを備え、開始装置６２は、好ましくは、無線で、又は任意選択で、開始装置６２及び制御装置４７を接続する信号ケーブル（図示せず）を通して制御装置４７と通信する。感圧センサがタッチされると、又は任意選択で、スイッチ若しくはボタンが押下されると、制御装置４７は、ピストンが上側位置にあるか又は下側位置にあるかに応じて、シリンダ１３内で、上側位置から下側位置への又は下側位置から上側位置へのピストン１５の移動を作動することになる。
【００６４】
家具又は機構が、通常のように、複数の転動装置１０を備える場合、好ましくは、１つだけの転動装置が、又は任意選択で、転動装置が図６及び図８に示すように家具部品内に一体化されて配置される場合、１つの家具部品が、開始装置６２を備える。１つの開始装置６２は、その後、好ましくは直接に、又は任意選択で、開始装置６２がその中に配置される転動装置内の制御装置４７を介して、全ての転動装置６２内の制御装置４７と通信する。開始装置６２がその中に配置される転動装置１０内の制御装置４７に、家具又は機構が備える全ての他の転動装置１０を制御させることが同様に可能である。したがって、開始装置の感圧センサがタッチされるか、又は任意選択で、スイッチが押下されると、全ての転動装置１０内のピストン１５は、シリンダ１３内で上側位置から下側位置に又はシリンダ１３内で下側位置から上側位置に同時に移動することになる。
【００６５】
図９は、電磁ソレノイド６５を備えるアクチュエータシステムを有する転動装置１０を示し、電磁ソレノイド６５は、好ましくは、シリンダ１３の上側でハウジング１１内に配置される。ソレノイド６５は、好ましくは、電磁ソレノイド６５が加えることができる磁気力を増加させるためネオジム磁石６６を備える。電磁ソレノイド６５は、スイッチを有する電池７０に電気的に接続され、スイッチは、電磁ソレノイドに対する電力をターンオン及びターンオフすることができる。これは、制御装置４７によって制御され、制御装置４７は、好ましくは、上述したのと同じ方法でリモートコントロール又はセンサから信号を受信する。代替的に、電磁ソレノイド６５は、電気ケーブルによって主電源に接続される。ピストン１５内には、図９に示すように磁石６７が配置される。電流がソレノイド６５を通して送出され、ピストンが上側位置にあるとき、ソレノイド６６は、磁界を生じることになり、磁界は、磁石６７に対する反発力をもたらすことになり、それにより、ピストン及び転動要素２０は、転動装置１０が表面を横切って転動することができる下側位置になるよう移動する。電磁ソレノイドに対する電力がオフになると、反発性磁界が消えることになり、転動要素２０を有するピストンは、転動装置１０は家具又は機構の重量によって上側位置に押込まれることになる。代替的に、ソレノイド６５を通る電流の方向は、ピストン及び転動要素がシリンダ１３内の上側位置内に後退するよう、ピストン１５内の磁石６７を誘引する磁界が形成されるように転換することができる。
【図１】
2019147549.tif 000003
【図２】
2019147549.tif 000004
【図３】
2019147549.tif 000005
【図４】
2019147549.tif 000006
【図５】
2019147549.tif 000007
【図６】
2019147549.tif 000008
【図７】
2019147549.tif 000009
【図８】
2019147549.tif 000010
【図９】
2019147549.tif 000011
【手続補正書】
【提出日】令和1年6月7日(2019.6.7)
【手続補正１】
【補正対象書類名】特許請求の範囲
【補正対象項目名】全文
【補正方法】変更
【補正の内容】
【特許請求の範囲】
【請求項１】
機構を表面に沿って移動可能にするために前記機構に一体化して使用される転動装置であって、一端に開口を有するシリンダを持つハウジングと、ピストンとを備え、
前記ピストンは、前記シリンダ内で往復移動可能に配置され、前記ピストンは、ピストンがシリンダ底に当接して着座することになる上側位置と、前記ピストンが１つ又は複数の停止縁に当接して着座する下側位置との間で移動することができ、
前記ピストンの上側で、前記ピストンと前記シリンダ底との間に、シリンダ容積が形成され、前記シリンダ容積は、前記ピストンが前記上側位置にあるときにはほぼゼロであるサイズを有し、前記ピストンが前記下側位置にあるときに最大サイズになり、
前記ピストンは更に転動要素を備え、
前記転動要素は、前記シリンダ開口に向く前記ピストンの第１の端部に配置され、前記機構が移動されるときに表面上を転動し、
該転動装置は、前記シリンダ内に設けられ、前記上側位置と前記下側位置との間で前記ピストンを移動させるアクチュエータシステムを備え、前記アクチュエータシステムは前記ハウジング内に設けられた電気モータを有し、
前記アクチュエータシステムを制御する制御装置を更に備え、
前記制御装置は、該制御装置に対する無線信号送信のためのアンテナを備えるか、又は、該転動装置は、前記電気モータが前記無線信号に応答して前記ピストンを前記下側位置又は前記上側位置に移動させるように、前記電気モータに信号を送信するための無線で前記制御装置と通信する開始装置を備えることを特徴とする転動装置。
【請求項２】
前記アクチュエータシステムは、液体用のリザーバを備え、前記電気モータは、流体チャネルを通る流体接続部を通して、前記リザーバから前記シリンダ内の前記シリンダ容積に液体を圧送するポンプを駆動することを特徴とする、請求項１記載の転動装置。
【請求項３】
前記流体チャネルは、前記シリンダ容積から前記リザーバに戻る液体の流れを許可するために開口することができる弁装置を備えることを特徴とする、請求項２に記載の転動装置。
【請求項４】
前記アクチュエータシステムは、前記ピストンに締結されるボールねじと、前記ボールねじを囲みかつ該ボールねじと係合状態にあるボールナットとを備え、
前記電気モータが、前記シリンダ内で前記ピストンの上側位置と前記ピストンの下側位置との間で前記ピストンを移動させるため前記ボールねじを回転させることを特徴とする、請求項１に記載の転動装置。
【請求項５】
前記ピストンは、該ピストンの前記第１の端部内の開口から該ピストンに入るよう延在するキャビティを有するように構成され、前記転動要素は前記キャビティ内に少なくとも部分的に配置されることを特徴とする、請求項１〜４のいずれか１項に記載の転動装置。
【請求項６】
前記ピストンは、前記キャビティ内に配置され、球状軸受表面を有するように構成される軸受プレートを更に備え、
前記球状軸受表面は、前記軸受プレートが回転可能に支持されるように前記キャビティ内で対応する球状軸受表面に当接して着座することを特徴とする、請求項５に記載の転動装置。
【請求項７】
前記軸受プレートは端部を有する突出部を備え、前記軸受プレートの前記球状軸受表面は前記突出部の前記端部上に配置され、前記キャビティは、前記球状軸受表面が配置される凹所を備えることを特徴とする、請求項６に記載の転動装置。
【請求項８】
前記キャビティにおいて、前記軸受プレートと前記転動要素との間及び前記軸受プレートと前記キャビティとの間のエリア内に複数の軸受ボールが配置されることを特徴とする、請求項６又は７に記載の転動装置。
【請求項９】
前記制御装置は、ソレノイドを制御するためのエレクトロニクスを有するプリント回路基板を備えることを特徴とする、請求項１に記載の転動装置。
【請求項１０】
前記開始装置は、タッチ感応型センサか、ボタンか、又はスイッチを備えることを特徴とする、請求項１に記載の転動装置。
【請求項１１】
家具において、該家具の重量を支え、表面上に立つ少なくとも１つの支持要素を備える家具であって、前記支持要素は、前記表面を横切って該家具を移動させるために請求項１〜１０のいずれか１項に記載の少なくとも１つの転動装置を備えることを特徴とする、家具。
【請求項１２】
請求項１〜１０のいずれか１項に記載の１つ又は複数の転動装置が、表面を横切って転動移動し、該移動を終えると安定位置を取るための、家具、可動壁、機械、トロリー、クレート又はコンテナのいづれか１つに含まれていることを特徴とする、転動装置。
【請求項１３】
転動装置を備え、家具を表面に沿って移動可能にするために前記家具に前記転動装置を一体化して使用される家具であって、一端に開口を有するシリンダを持つハウジングと、ピストンとを備え、
前記ピストンは、前記シリンダ内で往復移動可能に配置され、前記ピストンは、ピストンがシリンダ底に当接して着座することになる上側位置と、前記ピストンが１つ又は複数の停止縁に当接して着座する下側位置との間で移動することができ、
前記ピストンの上側で、前記ピストンと前記シリンダ底との間に、シリンダ容積が形成され、前記シリンダ容積は、前記ピストンが前記上側位置にあるときにはほぼゼロであるサイズを有し、前記ピストンが前記下側位置にあるときに最大サイズになり、
前記ピストンは更に転動要素を備え、
前記転動要素は、前記シリンダ開口に向く前記ピストンの第１の端部に配置され、前記機構が移動されるときに表面上を転動し、
該転動装置は、前記シリンダ内に設けられ、前記上側位置と前記下側位置との間で前記ピストンを移動させるアクチュエータシステムを備え、前記アクチュエータシステムは前記ハウジング内に設けられた電気モータを有し、
前記アクチュエータシステムを制御する制御装置を更に備え、
前記制御装置は、該制御装置に対する無線信号送信のためのアンテナを備えるか、又は、該転動装置は、前記電気モータが前記無線信号に応答して前記ピストンを前記下側位置又は前記上側位置に移動させるように、前記電気モータに信号を送信するための無線で前記制御装置と通信する開始装置を備える、家具。
【請求項１４】
前記シリンダの前記下側位置には、フット部分を備え、前記転動要素が前記シリンダ内に引き込まれた場合、前記フット部分は前記表面に接触する、請求項１３記載の家具。